(57)【要約】      （修正有）【課題】左右に急にハンドルを回転した時、太もも内側が停止部となり、臀部が滑り落ちるのを防止し、また男性が長時間自転車に乗っても快適性が大幅に向上する自転車のサドルを提供する。【解決手段】自転車のサドルは、内向きに凹んだサドル１０に弾性金属をサドル支持骨弾性金属１２とし、地面の振動を吸収する。サドル支持骨弾性金属の底部から一組の金属停止桿１２１が伸びる。【選択図】図１
0003129918.tif 000002
【実用新案登録請求の範囲】
【請求項１】
主にサドル本体、サドル支持骨弾性金属及び金属停止桿から構成された自転車のサドルにおいて、
表面は内向きに凹んだ形状のサドル本体と、
サドル本体と連接し、サドル本体に対して地面からの衝撃の緩衝となるサドル支持骨弾性金属と、
サドル本体的底部からサドル支持骨弾性金属へ伸び、太もも内側を停止部とする金属停止桿を含むことを特徴とする自転車のサドル。
【請求項２】
前記サドル支持骨弾性金属は、更に挟持具を含むことを特徴とする請求項１記載の自転車のサドル。
【請求項３】
前記挟持具は、自転車上の支持フレームと連接することを特徴とする請求項２記載の自転車のサドル。
【考案の詳細な説明】
【技術分野】
【０００１】
本考案は、自転車のサドルに関するもので、臀部がサドルから滑らず、快適性を具えたものである。
【背景技術】
【０００２】
バイスクリング（Bicycling）雜誌2005年の初刊の特集は「性について」(Sex Issue)で、その中で1997年に一人の名もない医学博士であるアーウィン  ゴールドステイン（Irwin Goldstein）氏が提出した研究報告のその驚く表題は「法律で自転車に乗ることを禁止なければならない」であった。その理由は自転車に乗ると、男性機能が不能になるというものであった。2001年別の二人の医学博士フランク  ソマー（Frank Sommer）氏とローガー  ミノー（Roger Minkow）氏は、志願者による実験を行い、この「自転車に乗ると、男性機能が不能になる」という説に反論した。これらの論戦及び研究の後、自転車のサドルのデザインは更によくなり、より健康的になっている。
【０００３】
生物力学から見て、サドル主に股関節に掛かる力を支えるため、自転車に乗る姿勢と快適性に影響を与える。このことからもわかるように、サドルの改善は、人間工学技術の運用と結合し、元のデザインデータ上に反応し、実現しなければならない。そのため，デザインデータ完全な取得は後日の人間工学から出たデータとの整合上きわめて重要である。各種異なる騎乗用途の自転車サドルを改善するため、人間工学が出したデータ方面では、通常圧力実験方式を採用して取得する。デザインデータ方面では図面がない状況では曲面変化を図画方式で得ることは困難である。そのため，人間工学から出したデータとデザインデータで問題を結び付けても自転車サドルの開発デザインと外形構想は、有効に掌握できない。
【考案の開示】
【考案が解決しようとする課題】
【０００４】
解決しようとする問題点は、公知の自転車サドルは、前端が突出した錐形状体であるため、長時間乗ると、男性にとっては生殖器が突出した錐形状体に押されるため、快適性が落ち、負担がかかる点である。
【課題を解決するための手段】
【０００５】
本考案は、内向きに凹んだサドルに弾性金属をサドル支持骨弾性金属とし、地面の振動を吸収する。サドル支持骨弾性金属の底部から一組の金属停止桿が伸びることを最も主要な特徴とする。
【考案の効果】
【０００６】
本考案の自転車のサドルは、左右に急にハンドルを回転した時、太もも内側が停止部となり、臀部が滑り落ちるのを防止し、また男性が長時間自転車に乗っても快適性が大幅に向上するという利点がある。
【考案を実施するための最良の形態】
【０００７】
本考案の主な目的は、自転車のサドルを提供することにある。それは、内側に凹んだ自転車サドルに、一組の金属停止桿を設置し、男性が自転車により快適に乗ることを目的とする。また急にハンドルを回転させた時、太ももの内側を金属停止桿がしっかりと支えるため、反作用が発生し、臀部がサドルの外に滑り出ることを防止し、快適と安全性を得る。
【０００８】
本考案の別の目的は、自転車のサドルを提供し、弾性金属がサドル骨架となり、地面の振動を有効に吸収し、本考案のサドルが快適性を保つ。
【０００９】
上述の目的のため、本考案は，内向きに凹んだサドルで、それにバネ鋼材をサドル骨として、路面から受ける振動を吸収し、且つサドル底部から一組の金属停止桿を伸ばす。
【実施例１】
【００１０】
第１図は本考案の自転車のサドルの立体図で、第２図は本考案サドル支持骨弾性金属の俯瞰図、第３図は本考案サドル支持骨弾性金属断面図で、第４図は本考案自転車のサドル俯瞰図である。図に示すのは、サドル本体１０であり、そのサドル本体１０の表面は内向きに凹んだサドルで、そのデザインは、公知の自転車サドル前端が突出した錐形体のサドルであるため、男性が長時間乗ると、生殖器を圧迫して快適性を大幅に下げるのを改善している。更にサドル本体１０の底部は、サドル支持骨弾性金属１２が設置されて連接し、そのサドル支持骨弾性金属１２は、Ｕ字型の弾性金属で、サドル本体１０をサドル支持骨弾性金属１２上に設置し、バネ鋼材材の力学緩衝収縮により、地面の振動を吸収する。これらによって、本考案のサドル本体１０の使用者を快適にする。この他、サドル支持骨弾性金属１２前端のサドル本体１０底部からは一組の金属停止桿１２1が伸び、このデザインにより、左右に急にハンドルが回転した時、太もも内側が停止部となり、反作用を発生し、臀部がサドル本体１０から滑り落ちるのを防止し、長時間の自転車騎乗に快適性を具える。
【００１１】
第５図は本考案自転車のサドルの実施例図で、図に示すのは、挟持具１４で、支持フレーム１６上に連接して設置し、その支持フレーム１６は自転車の骨フレームとするか、もしくは各式の機械車両上の支持フレームとする。それは挟持具１４でサドル支持骨弾性金属１２を安定して固定し、自転車騎乗者をサドル本体１０上に安定して座らせる。またこのサドル支持骨弾性金属１２と金属停止桿１２1は、直径０．６センチメートルの金属ステンレスバネ鋼材で作られ、更に自転車のサドルの金型の開発と、プラスチック原料の製作は、公知と比較して相当に節約する。
【００１２】
以上上述の実施例は、本考案の技術精神及び特徴を説明するためのものであり、本考案を限定するものではない。本考案に示した精神により作られた変化及び修飾は、すべて本考案の範囲に属する。
【図面の簡単な説明】
【００１３】
【図１】本考案の自転車のサドルの立体図である。
【図２】本考案のサドル支持骨弾性金属の俯瞰図である。
【図３】本考案のサドル支持骨弾性金属の断面図である。
【図４】本考案の自転車のサドルの俯瞰図である。
【図５】本考案の自転車のサドルの実施例図である。
【符号の説明】
【００１４】
１０        サドル本体
１２        サドル支持骨弾性金属
１２１        金属停止桿
１４        挟持具
１６        支持フレーム
【図１】
0003129918.tif 000003
【図２】
0003129918.tif 000004
【図３】
0003129918.tif 000005
【図４】
0003129918.tif 000006
【図５】
0003129918.tif 000007